【手続補正書】
【提出日】平成19年8月1日(2007.8.1)
【手続補正１】
【補正対象書類名】明細書
【補正対象項目名】特許請求の範囲
【補正方法】変更
【補正の内容】
【特許請求の範囲】
【請求項１】  エーロゾル弁を固定するための中央の台座部分と、
この台座部分から外方に延びる輪郭部分と、
前記輪郭部分の外端から上方に延びる本体部分と、
この本体部分の上端から外方に延び、すそ部分に終り、エーロゾル容器のビードを受入れるための湾曲したみぞ部分と、
を持つ取付けカップと、
折り重ね区分を持ち、前記みぞ部分内に固定的に配置されたガスケットと、
を備え、前記折り重ね区分の一方は前記みぞ部分に近接し、前記折り重ね区分の他方は前記みぞ部分から遠くにあり、両区分は、前記本体部分から遠くにある連続する折りたたみ線により接合されて成り、頂部に中央開口を画定するビードを持つエーロゾル容器用のガスケット付き弁取付けアセンブリにおいて、
前記みぞ部分から遠くにある前記区分は、前記みぞ部分に隣接する区分の長さより長い長さを持つが、前記ガスケットが、前記みぞ部分内の最終の位置に前進する間に、前記みぞ部分から遠くにある区分の自由縁部に隣接するその表面が、前記取付けカップに接触する長さではないようにしたことを特徴とするガスケット付き弁取付けアセンブリ。
【請求項２】  さらに、前記みぞ部分から遠くにあるガスケットの区分の自由縁部が、前記取付けカップの表面に接触しないようにした請求項１のガスケット付き弁取付けアセンブリ。
【請求項３】  さらに、前記ガスケットの折り重ね区分が約０．０３８インチないし０．０５０インチの複合厚さを持ち、前記ガスケットの長い方の区分が、他方のガスケットの区分の長さの１２５％を越えない長さを持つようにした請求項１のガスケット付き弁取付けアセンブリ。
【請求項４】  さらに、前記ガスケットの折り重ね区分の複合厚さを約０．０４４インチとし、前記みぞ部分から遠くにあるガスケットの区分の長さを約０．１１４インチとし、又他方のガスケットの区分の長さを約０．１０３インチとした請求項１のガスケット付き弁取付けアセンブリ。
【請求項５】  エーロゾル容器の頂部の中央の開口を画定するビードを持つエーロゾル容器用のガスケット付き弁取付けアセンブリにおいて、
エーロゾル弁を保持するための中央の台座部分と、
この台座部分から外方に延びる輪郭部分と、
この輪郭部分の外端から上方に延びる本体部分と、
前記輪郭部分から遠くにある本体部分から延び、すそ部分に終る容器ビードを受入れるための湾曲したみぞ部分と、
を持つ取付けカップと、
前記取付けカップのみぞ部分内に配置したガスケットと、
を備えし、
前記ガスケットが、前記取付けカップの本体部分から遠くに配置した連続した折りたたみ線により接合された折り重ね区分を備え、
前記折り重ね区分は、前記取付けカップに近接した区分より長さの長い取付けカップから遠くにある区分を備えるが、前記取付けカップから遠くにある区分は、前記ガスケットが前記みぞ部分内の最終位置に前進する間に、前記取付けカップから遠くにある区分の自由縁部に近接するその表面が前記取付けカップに接触する長さではないようにし、
前記ガスケットを、熱可塑性エラストマーが内部に混合された超低密度ポリエチレンにより構成して成る、エーロゾル容器用のガスケット付き弁取付けアセンブリ。
【請求項６】  さらに、前記みぞ部分から遠くにあるガスケット区分の自由縁部が、前記取付けカップの表面に接触しないようにした請求項５のガスケット付き弁取付けアセンブリ。
【請求項７】  さらに、前記ガスケットの折り重ね区分が約０．０３８インチないし０．０５０インチの複合厚さを持ち、前記ガスケットの長い方の区分が、他方のガスケット区分の長さの１２５％を越えない長さを持つようにした請求項５のガスケット付き弁取付けアセンブリ。
【請求項８】  さらに、前記ガスケットの折り重ね区分の複合厚さを約０．０４４インチとし、前記みぞ部分から遠くにあるガスケットの区分の長さを約０．１１４インチとし、又他方のガスケットの区分の長さを約０．１０３インチとした請求項５のガスケット付き弁取付けアセンブリ。
【請求項９】  エーロゾル容器の中央の開口を画定するビードを持つエーロゾル容器用のガスケット付き弁取付けアセンブリにおいて、
エーロゾル弁を保持するための中央の台座部分と、
この台座部分から外方に延びる輪郭部分と、
この輪郭部分の外端から上方に延びる本体部分と、
前記輪郭部分から遠くにある本体部分から延び、すそ部分に終る容器ビードを受入れるための湾曲したみぞ部分と、
を持つ取付けカップと、
前記取付けカップのみぞ部分内に配置したガスケットと、
を備え、
前記ガスケットが、前記取付けカップの本体部分から遠くに配置した連続した折りたたみ線により接合された折り重ね区分を備え、
前記折り重ね区分は、前記取付けカップに近接した区分より長さの長い取付けカップから遠くにある区分を備えるが、前記取付けカップから遠くにある区分は、前記ガスケットが前記みぞ部分内の最終位置に前進する間に、前記取付けカップから遠くにある区分の自由縁部に近接するその表面が前記取付けカップに接触する長さではないようにし、
前記ガスケットを、熱可塑性エラストマーを内部に混合した超低密度ポリエチレンにより本質的に構成して成る、エーロゾル容器用のガスケット付き弁取付けアセンブリ。
【請求項１０】  さらに、前記みぞ部分から遠くにあるガスケットの区分の自由縁部が、前記取付けカップの表面に接触しないようにした請求項９のガスケット付き弁取付けアセンブリ。
【請求項１１】  さらに、前記ガスケットの折り重ね区分が約０．０３８インチないし０．０５０インチの複合厚さを持ち、前記ガスケットの長い方の区分が他方のガスケットの区分の長さの１２５％を越えない長さを持つようにした請求項９のガスケット付き弁取付けアセンブリ。
【請求項１２】  さらに、前記ガスケットの折り重ね区分の複合厚さを約０．０４４インチとし、前記みぞ部分から遠くにあるガスケットの区分の長さを約０．１１４インチとし、又他方のガスケットの区分の長さを約０．１０３インチとした請求項９のガスケット付き弁取付けアセンブリ。
【請求項１３】  エーロゾル容器の中央の開口を画定するビードを持つエーロゾル容器用のガスケット付き弁取付けアセンブリにおいて、
エーロゾル弁を保持するための中央の台座部分と、
この台座部分から外方に延びる輪郭部分と、
この輪郭部分の外端から上方に延びる本体部分と、
前記輪郭部分から遠くにある本体部分から延び、すそ部分に終る容器ビードを受入れるための湾曲したみぞ部分と、
を持つ取付けカップと、
前記の取付けカップのみぞ部分内に配置したガスケットと、
を備え、
前記ガスケットが、前記取付けカップの本体部分から遠くに配置した連続した折りたたみ線により接合された折り重ね区分を備え、
前記折り重ね区分は、前記取付けカップに近接した区分より長さの長い取付けカップから遠くにある区分を備えるが、前記取付けカップから遠くにある区分は、前記ガスケットが前記みぞ部分内の最終の位置に前進する間に、前記取付けカップから遠くにある区分の自由縁部に近接するその表面が前記取付けカップに接触する長さではないようにし、
前記ガスケットが、熱可塑性エラストマーを内部に混合した超低密度ポリエチレンから成る、エーロゾル容器用のガスケット付き弁取付けアセンブリ。
【請求項１４】  さらに、前記みぞ部分から遠くにあるガスケットの区分の自由縁部が、前記取付けカップの表面に接触しないようにした請求項１３のガスケット付き弁取付けアセンブリ。
【請求項１５】  さらに、前記ガスケットの折り重ね区分が約０．０３８インチないし０．０５０インチの複合厚さを持ち、前記ガスケットの長い方の区分が他方のガスケットの区分の長さの１２５％を越えない長さを持つようにした請求項１３のガスケット付き弁取付けアセンブリ。
【請求項１６】  さらに、前記ガスケットの折り重ね区分の複合厚さを約０．０４４インチとし、前記みぞ部分から遠くにあるガスケットの区分の長さを約０．１１４インチとし、又他方のガスケットの区分の長さを約０．１０３インチとした請求項１３のガスケット付き弁取付けアセンブリ。
【請求項１７】  エーロゾル容器の中央の開口を画定するビードを持つエーロゾル容器用のガスケット付き弁取付けアセンブリにおいて、
エーロゾル弁を保持するための中央の台座部分と、
この台座部分から外方に延びる輪郭部分と、
この輪郭部分の外端から上方に延びる本体部分と、
前記本体部分の上端から外方に延び、すそ部分に終る容器ビードを受入れるための湾曲したみぞ部分と、
を持つ取付けカップと、
前記の取付けカップに接して配置したガスケットと、
を備え、
前記ガスケットが、前記本体部分の上部に沿ってこの本体部分に近接するみぞ部分内に限定的に延び、
前記ガスケットが、前記みぞ部分内のこのガスケットの末端に位置する連続した折りたたみ線により接合された近接する折り重ね区分を備え、
さらに前記本体／みぞ部分から遠くにあるガスケットの区分が他方の区分より長い長さを持つが、前記遠くにある区分の自由縁部が前記取付けカップの表面にかなりの部分にわたり接触する長さではないようにした、ガスケット付き弁取付けアセンブリ。
【請求項１８】  さらに、前記みぞ部分から遠くにあるガスケットの区分の自由縁部が前記取付けカップの表面に接触しないようにした請求項１７のガスケット付き弁取付けアセンブリ。
【請求項１９】  さらに、前記ガスケットの折り重ね区分が約０．０３８インチないし０．０５０インチの複合厚さを持ち、前記ガスケットの長い方の区分が他方のガスケットの区分の長さの約１２５％を越えない長さを持つようにした請求項１７のガスケット付き弁取付けアセンブリ。
【請求項２０】  さらに、前記ガスケットの折り重ね区分の複合厚さを約０．０４４インチとし前記みぞ部分から遠くにあるガスケットの区分の長さを約０．１１４インチとし、他方のガスケットの区分の長さを約０．１０３インチとした請求項１７のガスケット付き弁取付けアセンブリ。
【請求項２１】  さらに、前記ガスケットを、熱可塑性エラストマーを内部に混合した超低密度ポリエチレンにより構成した請求項１７、１８、１９又は２０のいずれか１つのガスケット付き弁取付けアセンブリ。
【請求項２２】  さらに、前記ガスケットを、熱可塑性エラストマーを内部に混合した超低密度ポリエチレンにより本質的に構成した請求項１７、１８、１９又は２０のいずれか１つのガスケット付き弁取付けアセンブリ。
【請求項２３】  さらに、前記ガスケットが、熱可塑性エラストマーを内部に混合した超低密度ポリエチレンから成る請求項１７、１８、１９又は２０のいずれか１つのガスケット付き弁取付けアセンブリ。
【請求項２４】  エーロゾル弁をクリンプするための中央の台座部分と、この台座部分から外方に延びる輪郭部分と、この輪郭部分の半径方向外端から上方に延びる本体部分とを備えた取付けカップであって、前記本体部分はすそ部分に終るみぞ部分に続き、このみぞ部分は、エーロゾル容器のビードを受入れてこのビードに締付けられるのに適するようにして成る取付けカップ用のガスケットを形成するガスケット形成方法において、
（ａ）前記取付けカップの前記本体部分に沿いガスケット材料から成るスリーブを配置するステップと、
（ｂ）このガスケット材料から成るスリーブを、前記取付けカップの前記みぞ部分内に前進させ、次いで前記ガスケット材料に連続した折りたたみ線を形成することにより、この折りたたみ線の各側にガスケット材料の区分を生成するステップと、
（ｃ）前記ガスケットの一方の区分を他方の区分に折り重ねて折重ねガスケットを形成するステップと、
（ｄ）この折重ねガスケットを前記本体部分の上部部分に沿って位置させ、前記みぞ部分内に限定した距離だけ延ばし、前記折重ねガスケットの折り重なった自由縁部が、前記みぞ部分から遠くにあるように、前記折り重ねガスケットを配置するステップと、
を包含するガスケット形成方法。
【請求項２５】  さらに、前記折りたたみ線の半径方向外方に延びる前記ガスケットの区分が、前記折りたたみ線の半径方向内方に延びる前記ガスケットの区分より長い長さを持つようになる前記ガスケットの長さに沿う箇所において、前記折り重ねガスケットの前記連続した折りたたみ線を生じさせる請求項２４のガスケット形成方法。
【請求項２６】  さらに、前記折重ねガスケットの長い方の区分が、前記取付けカップのかなりの部分にわたっては接触しないで前記折重ねガスケットをその前記取付けカップ上の最終密封位置に前進させる長さを、前記折重ねガスケットの長い方の区分が、持つようにする請求項２５のガスケット形成方法。
【請求項２７】  さらに、前記みぞ部分から遠くにある前記ガスケットの区分の自由縁部が、前記取付けカップの表面に接触しないようにする請求項２６のガスケット形成方法。
【請求項２８】  さらに、前記各折重ねガスケットの区分が約０．０３８インチないし０．０５０インチの複合厚さを持ち、前記折重ねガスケットの長い方の区分が、他方の折り重ねガスケットの区分の長さの１２５％を越えない長さを持つようにする請求項２７のガスケット形成方法。
【請求項２９】  さらに、前記折重ねガスケットの折り重なる区分の複合厚さを約０．０４４インチとし、前記取付けカップの外方のガスケットの区分の長さを約０．１１４インチとし、又他方のガスケットの区分の長さを約０．１０３インチとする請求項２８のガスケット形成方法。
【請求項３０】  さらに、前記折重ねガスケットを、熱可塑性エラストマーを内部に混合した超低密度ポリエチレンにより構成する請求項２４のガスケット形成方法。
【請求項３１】  さらに、前記折重ねガスケットを、熱可塑性エラストマーを内部に混合した超低密度ポリエチレン二より本質的に構成する請求項２４のガスケット形成方法。
【請求項３２】  さらに、前記折重ねガスケットが、熱可塑性エラストマーを内部に混合した超低密度ポリエチレンから成る請求項２４のガスケット形成方法。
【請求項３３】  さらに、前記折重ねガスケットを、熱可塑性エラストマーを内部に混合した超低密度ポリエチレンにより構成する請求項２５のガスケット形成方法。
【請求項３４】  さらに、前記折重ねガスケットを、熱可塑性エラストマーを内部に混合した超低密度ポリエチレンにより本質的に構成する請求項２５のガスケット形成方法。
【請求項３５】  さらに、前記折重ねガスケットが、熱可塑性エラストマーを内部に混合した超低密度エラストマーから成る請求項２６のガスケット形成方法。
【請求項３６】  さらに、前記折重ねガスケットを、熱可塑性エラストマーを内部に混合した超低密度ポリエチレンにより構成する請求項２６のガスケット形成方法。
【請求項３７】  さらに、前記折重ねガスケットを、熱可塑性エラストマーを内部に混合した超低密度ポリエチレンにより本質的に構成する請求項２６のガスケット形成方法。
【請求項３８】  さらに、前記折重ねガスケットが、熱可塑性エラストマーを内部に混合した超低密度ポリエチレンにより構成する請求項２６のガスケット形成方法。
【請求項３９】  さらに、前記折重ねガスケットを、熱可塑性エラストマーを内部に混合した超低密度ポリエチレンにより構成する請求項２７のガスケット形成方法。
【請求項４０】  さらに、前記折重ねガスケットを、熱可塑性エラストマーを内部に混合した超低密度ポリエチレンにより本質的に構成する請求項２７のガスケット形成方法。
【請求項４１】  さらに、前記折重ねガスケットが、熱可塑性エラストマーを内部に混合した超低密度ポリエチレンから成る請求項２７のガスケット形成方法。
【請求項４２】  さらに、前記折重ねガスケットを、熱可塑性エラストマーを内部に混合した超低密度ポリエチレンにより構成する請求項２８のガスケット形成方法。
【請求項４３】  さらに、前記折重ねガスケットを、熱可塑性エラストマーを内部に混合した超低密度ポリエチレンにより本質的に構成する請求項２８のガスケット形成方法。
【請求項４４】  さらに、前記折重ねガスケットが、熱可塑性エラストマーを内部に混合した超低密度ポリエチレンから成る請求項２８のガスケット形成方法。
【請求項４５】  さらに、前記折重ねガスケットを、熱可塑性エラストマーを内部に混合した超低密度ポリエチレンにより構成する請求項２９のガスケット形成方法。
【請求項４６】  さらに、前記折重ねガスケットを、熱可塑性エラストマーを内部に混合した超低密度ポリエチレンにより本質的に構成する請求項２９のガスケット形成方法。
【請求項４７】  さらに、前記折重ねガスケットが、熱可塑性エラストマーを内部に混合した超低密度ポリエチレンから成る請求項２９のガスケット形成方法。
【請求項４８】  エーロゾル取付けカップ用のガスケット材料に折りたたみ線を形成する装置であって、前記折りたたみ線は、二重折り重ね区分ガスケットを生じさせる装置において、
（ａ）取付けカップの本体を受入れるための中央の開口と、取付けカップのみぞ部分内に延びるのに適する中実の鼻部部分とを持ち、往復動ラムに取り付けたパンチを備え、
（ｂ）前記鼻部部分は、下方内向きのテーパ外面を持ち、このテーパ外面が環状の丸みをつけた鋭い縁部に終り、
（ｃ）前記取付けカップの本体部分上に配置した前記ガスケット材料を、前記取付けカップのみぞ部分内に付勢し、この場合前記鋭い縁部により前記パンチを前記ガスケットに押しつけて前記折りたたみ線を形成するのに適する段又は肩部を前記鼻部の上方において前記パンチの内径に設けて成る装置。
【請求項４９】  さらに、前記鼻部部分の端縁の上方においてこの鼻部部分の外面上に複数の平たん部を設けて成る請求項４８の装置。
【請求項５０】  さらに、４つの比較的大きい平たん部を、前記鼻部部分の外面上に９０°を隔てて配置し、２つの比較的小さい平たん部を、前記各比較的大きい平たん部の間に互いに３０°を隔てて配置して成る請求項４９の装置。